(57)【要約】【課題】利用者などに強い印象を与え、利用意欲を掻き立てることが可能な情報提供システムを提供する。【解決手段】表示面における透明度を調節することが可能なスクリーン２０と、スクリーン２０の近傍領域内に在るＩＣタグ１０を検出した場合に、スクリーン２０を不透明な状態に変え、ＩＣタグ１０に記憶されているタグＩＤを読み出し、タグＩＤに応じたコンテンツをプロジェクタ３０でスクリーン２０に表示させるクライアントシステム４０と、タグＩＤと、このタグＩＤを読み出したリーダ３１のリーダＩＤに基づいて、電子メールを生成し、ユーザの携帯電話機１１に送信するサーバシステム５０とを備える情報提供システム１によって実現する。【選択図】図１
2006243785.tif 000002
【特許請求の範囲】
【請求項１】
表示面における透明度を調節することが可能な表示手段と、
前記表示手段の近傍領域内に在る携帯型情報記録媒体を検出する検出手段と、
前記検出手段によって検出された携帯型情報記録媒体に記録されている、利用者又はその属性を識別するための利用者識別情報を読み取る読み取り手段と、
前記検出手段による検出結果に応じて、前記表示手段の表示面の透明度の調整を制御する透明度制御手段と、
前記読み取り手段によって読み取った利用者識別情報が示す利用者へ情報を提供する情報提供手段と
を備える情報提供システム。
【請求項２】
請求項１に記載の情報提供システムにおいて、
情報の送信先を示す送信先情報を、利用者ごとに記憶する送信先情報記憶手段を備え、
前記情報提供手段は、前記読み取り手段によって読み取った利用者識別情報に対応する、前記送信先情報記憶手段に記憶されている送信先情報が示す送信先へ情報を送信すること
を特徴とする情報提供システム。
【請求項３】
請求項２に記載の情報提供システムにおいて、
前記情報提供手段は、利用者が利用する携帯型の通信端末へ情報を送信すること
を特徴とする情報提供システム。
【請求項４】
請求項１から請求項３までに記載の情報提供システムにおいて、
前記読み取り手段によって読み取った利用者識別情報、及び／又は、前記表示手段に表示されている表示内容に基づいて、提供の対象となる情報を生成する提供情報生成手段を備え、
前記情報提供手段は、前記提供情報生成手段によって生成された情報を利用者に提供すること
を特徴とする情報提供システム。
【請求項５】
請求項４に記載の情報提供システムにおいて、
異なる場所に設置されている複数の前記読み取り手段を備え、
前記提供情報生成手段は、利用者識別情報と、前記複数の読み取り手段のうち、いずれの読み取り手段がこの利用者識別情報を読み取ったかに基づいて、情報を生成すること
を特徴とする情報提供システム。
【請求項６】
請求項１から請求項５までのいずれか１項に記載の情報提供システムにおいて、
前記表示手段は、透明度を調節することが可能な基材を含む、前記基材に光の投射を受けて画像を表示するスクリーンを有すること
を特徴とする情報提供システム。
【請求項７】
請求項６に記載の情報提供システムにおいて、
前記スクリーンの基材は、板状の透明部材と、この透明部材に貼付された調光フィルムとを有すること
を特徴とする情報提供システム。
【請求項８】
請求項６又は請求項７に記載の情報提供システムにおいて、
前記検出手段及び前記読み取り手段は、電磁波を送受することによって、近傍領域内に在る携帯型情報記録媒体の検出、及び、前記携帯型情報記録媒体に記録されている情報の読み出しを行うためのアンテナを前記スクリーンの基材内部に有すること
を特徴とする情報提供システム。
【請求項９】
請求項１から請求項８までのいずれか１項に記載の情報提供システムにおいて、
前記検出手段による検出結果、及び／又は、前記読み取り手段によって読み取った利用者識別情報に基づいて、前記表示手段に表示する画像の選択、及び／又は、前記表示手段による表示のタイミングの制御を行う表示制御手段を備えること
を特徴とする情報提供システム。
【請求項１０】
表示面における透明度を調節することが可能な表示手段を有するコンピュータシステムが利用者に情報を提供する情報提供方法であって、
前記表示手段の近傍領域内に在る携帯型情報記録媒体を検出する検出ステップと、
前記検出ステップにおいて検出した携帯型情報記録媒体に記録されている、利用者又はその属性を識別するための利用者識別情報を読み取る読み取りステップと、
前記検出ステップにおける検出結果に応じて、前記表示手段の表示面の透明度の調整を制御する透明度制御ステップと、
前記読み取りステップにおいて読み取った利用者識別情報が示す利用者へ情報を提供する情報提供ステップとを備えること
を特徴とする情報提供方法。
【請求項１１】
請求項１０に記載の情報提供方法において、
前記読み取りステップにおいて読み取った利用者識別情報、及び／又は、前記表示手段に表示されている表示内容に基づいて、提供の対象となる情報を生成する提供情報生成ステップを備え、
前記情報提供ステップは、前記提供情報生成ステップにおいて生成された情報を利用者に提供すること
を特徴とする情報提供方法。
【請求項１２】
請求項１０又は請求項１１に記載の情報提供方法において、
前記検出ステップにおける検出結果、及び／又は、前記読み取りステップにおいて読み取った利用者識別情報に基づいて、前記表示手段に表示する画像の選択、及び／又は、前記表示手段による表示のタイミングの制御を行う表示制御ステップを備えること
を特徴とする情報提供方法。
【発明の詳細な説明】
【技術分野】
【０００１】
本発明は、利用者に情報を提供する情報提供システム及び情報提供方法に関する。
【背景技術】
【０００２】
携帯電話機やＰＤＡ（Ｐｅｒｓｏｎａｌ  Ｄｉｇｉｔａｌ  Ａｓｓｉｓｔａｎｔ）などの携帯型通信端末によって、希望する情報をＷｅｂ上で探す場合や、電子メールで希望する情報を得る場合などにおいて、少ない操作により、利用者が希望する情報だけを、ユーザが希望するタイミングで提供する個別情報配信システムおよび方法がある（例えば、特許文献１参照。）。
【特許文献１】特開２００３−３０８２６７号公報
【発明の開示】
【発明が解決しようとする課題】
【０００３】
しかし、このシステムを利用するには、情報の送信先を登録するなどの登録手続きが必要であり、システムを利用する利用者を増加させるためには、利用形態の意外性などによって強い印象を与えるなど、利用意欲を掻き立てて、興味を引くことが不可欠である。また、利用者の利用頻度を高くするためにも同様のことが言える。
【０００４】
本発明の課題は、利用者などに強い印象を与え、利用意欲を掻き立てることが可能な情報提供システムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。すなわち、請求項１の発明は、表示面における透明度を調節することが可能な表示手段（２０，３０）と、前記表示手段の近傍領域内に在る携帯型情報記録媒体（１０）を検出する検出手段（２１，３１，４１）と、前記検出手段によって検出された携帯型情報記録媒体に記録されている、利用者又はその属性を識別するための利用者識別情報を読み取る読み取り手段（２１，３１，４１）と、前記検出手段による検出結果に応じて、前記表示手段の表示面の透明度の調整を制御する透明度制御手段（４１）と、前記読み取り手段によって読み取った利用者識別情報が示す利用者へ情報を提供する情報提供手段（５１）とを備える情報提供システム（１）である。
【０００６】
請求項２の発明は、請求項１に記載の情報提供システムにおいて、情報の送信先を示す送信先情報を、利用者ごとに記憶する送信先情報記憶手段（５２）を備え、前記情報提供手段は、前記読み取り手段によって読み取った利用者識別情報に対応する、前記送信先情報記憶手段に記憶されている送信先情報が示す送信先へ情報を送信することを特徴とする情報提供システム（１）である。
【０００７】
請求項３の発明は、請求項２に記載の情報提供システムにおいて、前記情報提供手段は、利用者が利用する携帯型の通信端末（１１）へ情報を送信することを特徴とする情報提供システム（１）である。
【０００８】
請求項４の発明は、請求項１から請求項３までに記載の情報提供システムにおいて、前記読み取り手段によって読み取った利用者識別情報、及び／又は、前記表示手段に表示されている表示内容に基づいて、提供の対象となる情報を生成する提供情報生成手段（５１）を備え、前記情報提供手段は、前記提供情報生成手段によって生成された情報を利用者に提供することを特徴とする情報提供システム（１）である。
【０００９】
請求項５の発明は、請求項４に記載の情報提供システムにおいて、異なる場所に設置されている複数の前記読み取り手段を備え、前記提供情報生成手段は、利用者識別情報と、前記複数の読み取り手段のうち、いずれの読み取り手段がこの利用者識別情報を読み取ったかに基づいて、情報を生成することを特徴とする情報提供システム（１）である。
【００１０】
請求項６の発明は、請求項１から請求項５までのいずれか１項に記載の情報提供システムにおいて、前記表示手段は、透明度を調節することが可能な基材（２３，２４Ａ，２４Ｂ，２５Ａ，２５Ｂ，２６Ａ，２６Ｂ）を含む、前記基材に光の投射を受けて画像を表示するスクリーン（２０）を有することを特徴とする情報提供システム（１）である。
【００１１】
請求項７の発明は、請求項６に記載の情報提供システムにおいて、前記スクリーンの基材は、板状の透明部材（２６Ａ，２６Ｂ）と、この透明部材に貼付された調光フィルム（２３，２４Ａ，２４Ｂ，２５Ａ，２５Ｂ）とを有することを特徴とする情報提供システム（１）である。
【００１２】
請求項８の発明は、請求項６又は請求項７に記載の情報提供システムにおいて、前記検出手段及び前記読み取り手段は、電磁波を送受することによって、近傍領域内に在る携帯型情報記録媒体の検出、及び、前記携帯型情報記録媒体に記録されている情報の読み出しを行うためのアンテナ（２１）を前記スクリーンの基材内部に有することを特徴とする情報提供システム（１）である。
【００１３】
請求項９の発明は、請求項１から請求項８までのいずれか１項に記載の情報提供システムにおいて、前記検出手段による検出結果、及び／又は、前記読み取り手段によって読み取った利用者識別情報に基づいて、前記表示手段に表示する画像の選択、及び／又は、前記表示手段による表示のタイミングの制御を行う表示制御手段（４１）を備えることを特徴とする情報提供システム（１）である。
【００１４】
請求項１０の発明は、表示面における透明度を調節することが可能な表示手段（２０）を有するコンピュータシステム（１）が利用者に情報を提供する情報提供方法であって、前記表示手段の近傍領域内に在る携帯型情報記録媒体を検出する検出ステップ（Ｓ１１０）と、前記検出ステップにおいて検出した携帯型情報記録媒体に記録されている、利用者又はその属性を識別するための利用者識別情報を読み取る読み取りステップ（Ｓ１２０）と、前記検出ステップにおける検出結果に応じて、前記表示手段の表示面の透明度の調整を制御する透明度制御ステップ（Ｓ１５０）と、前記読み取りステップにおいて読み取った利用者識別情報が示す利用者へ情報を提供する情報提供ステップ（Ｓ３４０）とを備えることを特徴とする情報提供方法である。
【００１５】
請求項１１の発明は、請求項１０に記載の情報提供方法において、前記読み取りステップにおいて読み取った利用者識別情報、及び／又は、前記表示手段に表示されている表示内容に基づいて、提供の対象となる情報を生成する提供情報生成ステップ（Ｓ３３０）を備え、前記情報提供ステップは、前記提供情報生成ステップにおいて生成された情報を利用者に提供することを特徴とする情報提供方法である。
【００１６】
請求項１２の発明は、請求項１０又は請求項１１に記載の情報提供方法において、前記検出ステップにおける検出結果、及び／又は、前記読み取りステップにおいて読み取った利用者識別情報に基づいて、前記表示手段に表示する画像の選択、及び／又は、前記表示手段による表示のタイミングの制御を行う表示制御ステップ（Ｓ１４０，Ｓ１６０）を備えることを特徴とする情報提供方法である。
【発明の効果】
【００１７】
本発明による情報提供システム及び情報提供方法によれば、以下の効果を得ることが可能となる。
（１）表示手段の近傍領域内における携帯型情報記録媒体の有無に応じて、表示面の透明度を調節するとともに、別の経路で利用者に情報を提供することによって、意外性などの強い印象を利用者や、利用者の利用を見る者などに与えるとともに、情報提供システムの利用意欲を掻き立てることが可能となる。
（２）利用者識別情報に基づいて提供の対象となる情報を生成することによって、利用者又はその属性に応じた情報を利用者に提供することが可能となる。
（３）表示内容に基づいて提供の対象となる情報を生成することによって、利用者が見ている表示内容と関連性のある情報を利用者に提供し、相乗効果を得ることができ、より強い印象を利用者に与えることが可能となる。
（４）各読み取り手段の設置場所に基づいて提供の対象となる情報を生成することによって、利用者がいる場所に応じた情報を利用者に提供することが可能となる。
（５）アンテナを基材内部に設けることによって、表面にアンテナの凹凸が出ず、違和感を利用者に感じさず、見栄えを向上することが可能となる。
（６）検出手段による検出結果、及び／又は、読み取った利用者識別情報に基づいて、表示する画像の選択、及び／又は、表示のタイミングの制御を行うことによって、様々なパターンで画像を表示することが可能となる。
【発明を実施するための最良の形態】
【００１８】
本発明は、利用者などに強い印象を与え、利用意欲を掻き立てるという目的を、表示面における透明度を調節することが可能な表示部と、表示部の近傍領域内に在る携帯型情報記録媒体を検出する検出部と、検出部によって検出された携帯型情報記録媒体に記録されている、利用者又はその属性を識別するための利用者識別情報を読み取る読み取り部と、検出部による検出結果に応じて、表示部の表示面の透明度の調整を制御する透明度制御部と、検出部による検出結果、読み取り部によって読み取った利用者識別情報に基づいて、表示部に表示する画像の選択、表示部による表示のタイミングの制御を行う表示制御部と、読み取り部によって読み取った利用者識別情報、表示部に表示されている表示内容に基づいて提供の対象となる情報を生成する提供情報生成部と、読み取り部によって読み取った利用者識別情報が示す利用者へ、提供情報生成部が生成した情報を提供する情報提供部とを備える情報提供システムによって実現する。
【実施例】
【００１９】
以下、図面などを参照して、本発明の実施例をあげて、さらに詳しく説明する。
図１は、本発明による情報提供システムの実施例における構成を示すブロック図である。
図１に示すように、情報提供システム１は、ユーザ（利用者）が携帯するＩＣタグ１０及び携帯電話機１１と、ユーザが来訪する場所に設置されているスクリーン２０、プロジェクタ３０及びリーダ３１と、クライアントシステム４０と、サーバシステム５０などとを備えている。スクリーン２０、プロジェクタ３０及びリーダ３１は、クライアントシステム４０のＰＣ４１に接続され、クライアントシステム４０及びサーバシステム５０間は、電話回線、光ケーブルその他の有線、又は、赤外線その他の無線の通信回線６０で接続されている。
【００２０】
情報提供システム１は、スクリーン２０の近傍に来たユーザが携帯するＩＣタグ１０を検出した場合に、プロジェクタ３０からスクリーン２０へ画像を投射して表示するとともに、このユーザの携帯電話機１１に電子メールを送信するシステムである。なお、情報提供システム１は、異なる場所に設置されている複数のスクリーンシステム２，２Ａを備えている。各スクリーンシステム２，２Ａは、スクリーン２０、プロジェクタ３０、リーダ３１及びクライアントシステム４０を備え、サーバシステム５０に接続され、同様の機能、構成を有している。以下、スクリーンシステム２について説明し、スクリーンシステム２Ａについては、異なる点について説明する。
【００２１】
ＩＣタグ１０は、メモリやＣＰＵを有するＩＣチップと、ＩＣチップに接続され、電磁誘導方式による無線通信を行うアンテナなど（図示しない。）を備える情報記録媒体であって、一般にＲＦＩＤ（Ｒａｄｉｏ  Ｆｒｅｑｕｅｎｃｙ  Ｉｄｅｎｔｉｆｉｃａｔｉｏｎ；無線による個体認識）タグとよばれているものである。ＩＣタグ１０は、利用申請した者などの所定の者（ユーザ）に配布され、携帯されている。また、ＩＣタグ１０は、このＩＣタグ１０又はその属性を識別するタグＩＤなどの個別情報を記憶し、リーダ３１からの要請に応じてこの個別情報を送信する。タグＩＤは、個人情報、属性情報などの利用者識別情報と関連づけることによって、ユーザ又はその属性を識別するための情報となる。なお、ＩＣタグ１０の形態は、限定されず、例えば、携帯電話機１１のストラップに設けられているもの、腕輪型のもの、他のものに貼付できるシール型のものなど、多種多様のものがある。
携帯電話機１１は、電子メールを送受信する機能を備える携帯電話機である。電子メールを送受信するなどの通信機能を備えていれば、携帯電話機１１は、ＰＤＡ、ノート型ＰＣなどの他の携帯型の通信端末であってもよく、装置の種類は、限定されない。
【００２２】
スクリーン２０は、街角、イベント会場、駅構内、コンビニエンスストア、ショッピングセンタ、ホテルなどの人目に付きやすい場所に設置されている。図２に示すように、スクリーン２０は、平行光線の透過度などの透明度を調節することができる板状の調光ガラスを基材とし、アンテナ２１、電源２２などを備えている。電源２２は、スクリーン２０へ電力を供給するための電源であって、ＯＮ／ＯＦＦの切り替えスイッチを有し、ＰＣ４１からの制御信号に応じて電力供給のＯＮ／ＯＦＦを切り替える。スクリーン２０は、電源２２がＯＮの場合には、調光ガラスが透明となり、透明な窓のような状態となる。一方、電源２２がＯＦＦの場合には、スクリーン２０は、調光ガラスが不透明な白濁状態となり、投影によって画像を表示するスクリーンとして機能する。
【００２３】
図２は、スクリーン２０の構成を説明するための概略断面図である。
図２に示すように、スクリーン２０は、調光ガラスの内部にアンテナ２１が設けられた構造を有している。スクリーン２０は、液晶などの調光材料からなる液晶層２３の両面を透明導電層２４Ａ，２４Ｂで挟み、透明導電層２４Ａ，２４Ｂの外側を透明なポリマーシート２５Ａ，２５Ｂで挟みこんだ調光フィルム２３，２４Ａ，２４Ｂ，２５Ａ，２５Ｂ（例えば、日本板硝子（株）製ＵＭＵフィルム（「ＵＭＵ」は登録商標））と、アンテナ２２とを２枚のガラス板２６Ａ，２６Ｂ間に挟み込んで接着一体化して構成される。スクリーンとして機能する調光ガラス（調光ガラススクリーン）としては、日本板硝子（株）製のウムスマートスクリーン（登録商標）などがある。
【００２４】
透明導電層２４Ａ，２４Ｂは、透明な導電性の層であって、電源２２に接続され、液晶層２３内の液晶に対して電圧をかける電極の役割を果たしている。電源２２に電圧がかけられた場合には、液晶層２３の液晶分子が通電によって並行に並び、平行光線透過率が高くなり、液晶層２３は透明となる。一方、電源２２に電圧がかけられていない場合には、液晶分子が不揃いとなり、平行光線透過率が低くなり、液晶層２３は不透明となる。
【００２５】
アンテナ２１は、リーダ３１に接続され、リーダ３１からの信号を電磁波に変えて送出し、ＩＣタグ１０から反射された電磁波を受けとる電磁誘導方式による無線通信を行う通信インターフェイスであって、表示面と対向するように板ガラス２６Ａ及びポリマーシート２５Ａ間に挟み込まれて設けられている。アンテナ２１は、電磁波を送受することによって、スクリーン２０の近傍のアンテナ２１の通信範囲内に来たＩＣタグ１０を携帯するユーザを検出するためのセンサである。アンテナ２１は、コイル型でも、ダイポール型でもよく、その形状は限定されないが、スクリーン２０の表示の邪魔とならないよう、ダイポール型など、表示面に対して占有面積の小さいものが望ましい。
【００２６】
図１に示すように、プロジェクタ３０は、制御信号、画像データをＰＣ４１から受信し、ＰＣ４１の制御に応じて光をスクリーン２０に投射し、動画コンテンツなどの画像をスクリーン２０に対して拡大投影する投影機である。
リーダ３１は、ＰＣ４１及びＩＣタグ１０間の通信を媒介する通信インターフェイスであって、アンテナ２１を介してＩＣタグ１０と電磁誘導方式の通信を行う。リーダ３１は、アンテナ２１から電磁波の送受を行うことによって、無線信号を送出し、ＩＣタグ１０からの応答信号を受信する。リーダ３１には、各リーダ又は設置場所などのリーダの属性を識別するためのリーダＩＤが割り当てられている。
【００２７】
クライアントシステム４０は、ＰＣ４１とＰＣ４１に接続されているコンテンツＤＢ４２などを備え、スクリーン２０の表示の制御を行うとともに、情報提供をサーバシステム５０に対して行うコンピュータシステムである。なお、ＰＣ４１がコンテンツＤＢ４２を備えていてもよい。
ＰＣ４１は、演算、制御、メモリ管理などを行うＣＰＵ、メモリ、ハードディスクなどの記憶装置、ディスプレイなどの表示装置、通信回線６０を介したサーバシステム５０との通信や、プロジェクタ３０、リーダ３１、電源２２などへの制御信号の送信を行うための通信インターフェイスなど（図示しない。）を備えるコンピュータである。ＰＣ４１は、プロジェクタ３０、リーダ３１、スクリーン２０の電源２２などの各装置を制御する。ＰＣ４１は、制御アプリケーションなどのプログラムを実行し、アンテナ２１及びリーダ３１を介して応答を要求する信号を繰り返し送出し、その応答の有無、応答の内容に基づいて、アンテナ２１の近傍の通信範囲（動作磁界範囲）内にあるＩＣタグ１０を検出する。また、リーダ３１を介してＩＣタグ１０に所定の命令を送信することによって、通信範囲内にあるＩＣタグ１０に記憶されているタグＩＤを読み出す。更に、ＰＣ４１は、ＩＣタグ１０から読み出したタグＩＤと、リーダＩＤとをサーバ５１へ送信する。
【００２８】
コンテンツＤＢ４１は、動画、静止画などの複数種類のコンテンツのデータと、この各種コンテンツ及びＩＣタグ１０に記憶されている各タグＩＤを紐付ける管理ファイルなどとを記憶するデータベースである。コンテンツＤＢ４１は、ハードディスクなどの記憶装置などによって実現される。
ＰＣ４１は、ＩＣタグ１０から読み出したタグＩＤをキーとして、このタグＩＤに対応するコンテンツのデータをコンテンツＤＢ４１から読み出してプロジェクタ３０へ送信し、コンテンツをスクリーン２０に表示するなど、プロジェクタ３０を制御する。また、ＰＣ４１は、電源２２へ制御信号を送信し、スクリーン２０への電力供給のＯＮ／ＯＦＦを制御する。ＰＣ４１の動作の詳細については、図５を用いて後述する。
【００２９】
サーバシステム５０は、サーバ５１と、サーバ５１に接続されているユーザＤＢ５２及びメールコンテンツＤＢ５３などとを備え、クライアントシステム４０からの要求に応じてユーザに情報を提供するコンピュータシステムである。
サーバ５１は、ＣＰＵ、記憶装置、通信インターフェイスなど（図示しない。）を備えるサーバコンピュータである。
ユーザＤＢ５２は、図３（ａ）に示すように、ユーザ名、電子メールアドレス、ユーザが携帯するＩＣタグ１０のタグＩＤなど、情報提供システム１を利用するユーザについての個人情報を記憶するデータベースであって、タグＩＤをキーに各ユーザの個人情報を読み出すことが可能である。個人情報は、利用申請などにおいてユーザから提供され、ユーザＤＢ５２に登録される。個人情報の登録方法は、限定されず、携帯電話機１１から個人情報を含む電子メールをサーバシステム５０へ送信することによってユーザＤＢ５２に登録してもよい。
図３（ｂ）に示すように、メールコンテンツＤＢ５３は、テンプレートなどの電子メールを生成するための情報であるメールコンテンツを、リーダＩＤに紐付けて記憶するデータベースである。
【００３０】
図４は、携帯電話機１１の表示画面を示し、サーバ５１から携帯電話機１１に送信される電子メールの内容を示している。
図３及び図４に示すように、サーバ５１は、タグＩＤをキーにユーザＤＢ５２から読み出し、リーダＩＤをキーにメールコンテンツＤＢ５３からテンプレートを読み出し、このテンプレートに個人情報を当て嵌め、ユーザに送信する電子メールを生成する。つまり、サーバ５１は、ユーザごと、ユーザのタグＩＤを読み取ったリーダ３１ごとに個別の電子メールを生成する。なお、電子メールによってユーザに提供される情報は、商品やサービスを紹介または宣伝するため、または商品やサービスに対する興味を喚起するプレゼントやキャンペーンの告知を行うためのＷｅｂページや電子メールなどの広告情報などであって、情報提供システム１の設置目的に応じて設定される。従って、ユーザに提供される情報は、ユーザを最終的にアクセスして欲しいＷｅｂページへ導くＵＲＬなどの情報（以下、単に誘導情報という）でもよい。また、Ｗｅｂページなどのユーザからのアクセスを必要とするものは、誘導情報から辿ることが可能な別データベースに記憶してもよい。
【００３１】
図５は、本発明による情報提供システムの動作及び情報提供方法を示すフローチャートである。以下、ＰＣ４１及びサーバ５１のＣＰＵの処理を中心に説明する。
ステップ１００（以下、「ステップ」を「Ｓ」という。）において、スクリーン２０は、電源２２がＯＮに切り替えられ、観察側からその背景を見ることができる透明な状態にある。また、リーダ３１は、アンテナ２１から応答要求信号を繰り返し放出している。
【００３２】
Ｓ１１０において、ＩＣタグ１０を携帯するユーザがスクリーン２０へ近づき、ＩＣタグ１０がアンテナ２１の通信範囲内に入ると、ＰＣ４１は、ＩＣタグ１０からの応答に基づいて、ＩＣタグ１０を検出する。ＰＣ４１は、ＩＣタグ１０に記憶されているタグＩＤを読み出し（Ｓ１２０）、タグＩＤ、リーダＩＤなどをサーバ５１へ送信し、このタグＩＤが示すユーザへの情報提供を要求する（Ｓ１３０）。
ＰＣ４１は、コンテンツＤＢ４２からタグＩＤに対応するコンテンツのデータを読み出す（Ｓ１４０）。ＰＣ４１は、電源２２をＯＦＦに切り替えてスクリーン２０を不透明な状態とし（Ｓ１５０）、読み出したコンテンツデータをプロジェクタ３０へ送信し、プロジェクタ３０からスクリーンへ投影させ、スクリーン２０に画像を表示する（Ｓ１６０）。
【００３３】
ＰＣ４１は、コンテンツ再生中に同一のＩＣタグ１０を検出し続けることができなくなるなど、所定の終了指示を検出した場合（Ｓ１７０）には、スクリーン２０におけるコンテンツの表示を終了し（Ｓ１９０）、スクリーン２０の電源をＯＮに切り替え（Ｓ２００）、処理を終了する（Ｓ２１０）。また、コンテンツが終了した場合（Ｓ１８０）には、同様に、スクリーン２０の電源をＯＮに切り替え（Ｓ２００）、処理を終了する（Ｓ２１０）。ＰＣ４１は、待機状態（Ｓ１００）となり、再びＩＣタグ１０を検出した場合には、同様の処理を繰り返す（Ｓ１１０からＳ２００まで）。
なお、ＰＣ４１は、タグＩＤ、リーダＩＤのサーバ５１への送信（Ｓ１３０）、コンテンツ表示（Ｓ１６０）の処理について所定のタイミングで行い、ユーザがスクリーン２０に表示されるコンテンツを見るとともに、携帯電話機１１で電子メールを受信できるように調節する。
【００３４】
サーバ５１は、Ｓ１３０においてＰＣ４１から送信されたタグＩＤ、リーダＩＤなどを受信し（Ｓ３１０）、タグＩＤをキーにユーザＤＢ５２から個人情報を読み出し、リーダＩＤをキーにメールコンテンツＤＢ５３からメールコンテンツを読み出す（Ｓ３２０）。サーバ５１は、読み出した個人情報、メールコンテンツに基づいて電子メールを生成し（Ｓ３３０）、携帯電話機１１へ送信し（Ｓ３４０）、処理を終了する（Ｓ３５０）。
【００３５】
このように、本実施例によれば、情報提供システム１は、ＩＣタグ１０を携帯するユーザがスクリーン２０に近づいた場合に、透明なスクリーン２０を不透明に切り替え、コンテンツを表示するとともに、電子メールを携帯電話機１１に送信し、情報を提供するため、ユーザに強い印象を与えるとともに、情報提供システム１の利用意欲を掻き立てることが可能となった。例えば、街角、イベント会場、駅構内、コンビニエンスストア、ショッピングセンタ、ホテルなどに設置し、広告情報などを表示した場合には、スクリーン２０の表示及び電子メールによって、ユーザに強い印象を与え、販促効果を向上することが可能となった。
【００３６】
また、情報提供システム１は、ＩＣタグ１０から読み出したタグＩＤに対応するコンテンツをスクリーン２０に表示するため、ユーザの属性などに応じた種々の情報をユーザに提供することが可能となった。
更に、情報提供システム１は、タグＩＤ、リーダＩＤに基づいて電子メールを生成するため、ユーザ又はその属性に応じた情報や、設置場所（ユーザの居場所）などのリーダ３１又はその属性に応じた情報をユーザに提供することが可能となった。
【００３７】
更にまた、アンテナ２１を調光フィルム２３，２４Ａ，２４Ｂ，２５Ａ，２５Ｂ及び板ガラス２６Ａ間に設けることによって、調光フィルム２３，２４Ａ，２４Ｂ，２５Ａ，２５Ｂを２枚のガラス板２６Ａ，２６Ｂに挟み込んで接着する調光ガラスの製造工程においてアンテナ２１を狭着することによってスクリーン２０を製造することができ、比較的容易にアンテナ２１を設置し、スクリーン２０を製造することが可能となった。また、表面にアンテナ２１の凹凸が出ず、違和感をユーザに感じさず、見栄えを向上することが可能となった。更に、透明な板ガラス２６ＡにＩＣタグ１０が近づいた場合に、板ガラス２６Ａの外観を変えることができ、ユーザに一層強い印象を与えることが可能となった。
【００３８】
（変形例）
以上説明した実施例に限定されることなく、種々の変形や変更が可能であって、それらも本発明の均等の範囲内である。例えば、情報提供システム１は、検出したＩＣタグ１０を携帯するユーザの携帯電話機１１へ情報を提供するが、提供先はこれに限定されず、ユーザの希望などに応じてユーザＤＢ５２に送信先として登録することによって他の者に情報を提供してもよい。また、情報提供システム１は、ユーザに対して広告情報を提供するが、提供する情報は、これに限定されない。例えば、ＩＣタグ１０を子供が携帯し、学校、塾などの子供の行き先に設置されているクライアントシステム２がこれを検出することによって、子供の位置情報や、行動内容を示す行動情報をその親の携帯電話機１１などに送信してもよい。
親は、子供に携帯電話機を持たせずとも子供の行動を管理することができる。また、スクリーン２０の外観の変化によって子供にＩＣタグ１０を翳す楽しさを感じさせることによって、翳し忘れを防止するとともに、様々な場所に設置されているクライアントシステム２，２Ａにおいて、こまめに翳させることができ、より詳細に子供の行動を管理することが可能となる。
【００３９】
また、情報提供システム１は、ユーザに対して進捗情報、行動指示情報などを提供し、テーマパークなどのアミューズメント施設において、宝探しゲームを管理してもよい。ユーザは、各通過ポイントに設置されているクライアントシステム２，２Ａのスクリーン２０にＩＣタグ１０を翳し、情報提供システム１は、翳された通過ポイントに応じて、次のポイントの手がかりなどの行動指示情報、ゲーム進捗情報をユーザの携帯電話機１１に送信する。ユーザは、携帯電話機１１に送られてくる情報をもとに次のポイントを探してゲームを進行し、ゴールを探す。
スクリーン２０の外観の変化によって、ユーザに楽しさや意外性を感じさせ、ゲームの話題性、リピーターを獲得することが可能となる。また、ユーザには、ゲームの情報以外にも、セグメント情報（アトラクション待ち時間や施設詳細情報）を提供することができ、ユーザの利便性を向上することが可能となる。更に、ユーザのメールアドレスを入手することができるため、広告情報などをユーザに提供し、販売促進を図ることが可能となる。
【００４０】
また、各所にクライアントシステム２，２Ａを設置し、ユーザに各所に応じたタウン誌情報、観光地情報、飲食店情報（サービス情報）、宿泊情報などを提供してもよい。ユーザは、不慣れな出張先や、旅先で現地情報をタイムリーに得ることが可能となる。また、タウン誌との連携や飲食店のクーポン発行もでき、来店促進を効果的に図ることが可能となる。
【００４１】
更に、イベント、アミューズメント施設、展覧会の会場などにおいて、各所にクライアントシステム２，２Ａを設置し、翳された場所に応じた情報を提供してもよい。ＩＣタグ１０の配布、回収を入場、退場口において容易に行うことができる。更にまた、情報提供システム１は、ショッピングエリアにおいて、特売情報、店舗案内地図、スタンプラリーポイント、クーポンサービスをユーザに提供してもよい。食料品売り場にクライアントシステム２，２Ａを設置し、その食料品についての料理レシピ情報を提供してもよい。
【００４２】
情報提供システム１は、ＰＣ４１がスクリーン２０に表示しているコンテンツを識別するための表示コンテンツ識別情報をサーバ５１に送信し、サーバ５１がこれに対応する情報を電子メールでユーザに提供してもよい。なお、本実施例においては、タグＩＤに応じてコンテンツを表示しているため、情報提供システム１は、タグＩＤに対応するメールコンテンツをもとに電子メールを生成してもよい。例えば、情報提供システム１は、スクリーン２０にプレゼント応募の応募要件となる鍵を表示し、携帯電話機１１に応募先となる電子メールアドレスを通知してもよい。
表示内容に応じた情報をユーザに電子メールで提供することによって、ユーザが見ている表示内容と関連性のある情報を提供し、相乗効果を得ることができ、より強い印象をユーザに与えることが可能となる。
【００４３】
ユーザＤＢ５２に記憶している個人情報は、図３（ａ）に示すものに限定されず、例えば、利用履歴情報を記憶していてもよい。利用頻度などに応じた情報、サービスをユーザに提供することが可能となる。
スクリーン２０は、透明な状態のとき、ＩＣタグ１０を翳す場所を示す記号、印を表示していてもよい。アンテナ２１の通信距離が短い場合などに有効である。
【００４４】
クライアントシステム２，２Ａは、スクリーン２０及びプロジェクタ３０を１組備えているが、少なくとも１組備えていればよく、ＰＣ４１が制御を行うことができれば、複数組備えていてもよい。
【００４５】
スクリーン２０内部に設けられているアンテナ２１は、スクリーンの表面（観察側）又は裏面（プロジェクタ側）に設けられていてもよく、スクリーン２０の近傍にいる、ＩＣタグ１０を携帯している者を検出できれば、設置場所は限定されない。
また、リーダ３１及びアンテナ２１と、ＩＣタグ１０とは、電磁誘導方式による通信を行うが、静電誘導方式による通信であってもよく、無線でＩＣタグ１０に記憶されている情報を読み出すことができればよい。
【００４６】
更に、情報提供システム１は、ＩＣタグ１０から読み取った情報に応じたコンテンツをスクリーン２０に表示するが、このシステムに用いることができる所定のＩＣタグ１０の属性を識別するための識別情報をＩＣタグ１０が記憶し、この識別情報を読み取ることによって、所定のＩＣタグ１０が通信範囲内に持ち込まれたことを検出し、任意のコンテンツをスクリーン２０に表示してもよい。
【００４７】
従って、ＩＣタグ１０は、特定周波数の電磁波を受信した場合に共振する非接触識別タグであってもよい。また、ＩＣタグ１０は、電源を備えているアクティブタイプでも、外部から駆動電力を得るパッシブタイプであってもよい。尚、パッシブタイプのＩＣタグはアクティブタイプよりかなり小さく軽い上に、価格も安く実質的に寿命の制限がないため、ユーザに対して送付し、使用させるのに都合がよい。更に、情報提供システム１は、携帯型情報記録媒体としてＩＣタグ１０を備えているが、情報を記録し、リーダが非接触でこの記録されている情報を読み取ることができれば、バーコードを有する記録媒体などの他の携帯型情報記録媒体を備えていてもよい。
【００４８】
情報提供システム１は、スクリーン２０、プロジェクタ３０、ＰＣ４１など、それぞれ所定の機能を有する複数の装置を備えているが、これらの装置の機能を備える一体型の表示装置であってもよく、情報提供システム１が所定の機能を備えていれば、システムに含まれる装置の形態は限定されない。
また、情報提供システム１は、クライアントシステム４０にコンテンツＤＢ４２を備えているが、サーバシステム５０にコンテンツＤＢ４２を備え、サーバ５１からＰＣ４１にスクリーン２０に表示するコンテンツを提供してもよい。更に、情報提供システム１は、サーバシステム５０の機能をクライアントシステム４０に備えていてもよい。いずれの機能をクライアントシステム４０又はサーバシステム５０に備えるかは、任意に設定可能である。
【００４９】
情報提供システム１は、コンテンツの音声を出力し、ユーザに聞かせるスピーカを備えていてもよい。ＩＣタグ１０から読み取った情報に応じた音声情報をユーザに提供することができ、より強い印象を与えることが可能となる。
【００５０】
情報提供システム１は、プロジェクタ３０側と、観察側が異なる背面投射式（リア式）で画像をスクリーン２０に表示しているが、観察側から投射する正面投射式（フロント式）で画像をスクリーン２０に表示してもよく、スクリーン２０への光の投射方向などの投射方法は限定されない。
【００５１】
スクリーン２０は、調光フィルム２３，２４Ａ，２４Ｂ，２５Ａ，２５Ｂを２枚のガラス板２６Ａ，２６Ｂで挟み込んだ調光ガラスを基材としているが、調光フィルム２３，２４Ａ，２４Ｂ，２５Ａ，２５Ｂをプラスチックなどの他の透明な部材に貼付したものを基材としてもよい。
【００５２】
情報提供システム１は、ＩＣタグ１０を検出できなくなったことを終了指示として検出し（図５のＳ１７０）、コンテンツの表示を終了するが（Ｓ１９０）、終了指示情報を記憶している他のＩＣタグ１０を検出したことを終了指示として入力してもよく、終了指示の入力方法は、ＩＣタグ１０の検出パターンや、ＩＣタグ１０の種類などに応じて任意に設定することが可能である。また、スクリーンシステム２は、一のコンテンツの再生が終了するまで、ＩＣタグ１０の検出を中断してもよい。
【００５３】
情報提供システム１は、スクリーン２０の近傍にＩＣタグ１０を携帯するユーザが来た場合に、スクリーン２０にコンテンツを表示するが、通常、コンテンツを表示しておき、ユーザが来た場合にスクリーン２０を透明に切り替えてもよい。また、情報提供システム１は、スクリーン２０の状態を透明、不透明の二つのパターンの透明度の状態だけでなく、半透明など、より多くの段階で透明度の状態を切り替えてもよい。更に、情報提供システム１は、コンテンツを表示するタイミングをＩＣタグ１０から読み出した情報に応じて変えてもよい。ＩＣタグ１０の接近や、ＩＣタグ１０から読み出した情報に応じて、スクリーン２０の透明度をどう調節するか、また、どのようなコンテンツをどのようなタイミングで表示するかは任意に設定することが可能である。
【図面の簡単な説明】
【００５４】
【図１】情報提供システムの実施例における構成を示すブロック図である。
【図２】スクリーン２０の構成を説明するための概略断面図である。
【図３】ユーザＤＢ５２、メールコンテンツＤＢ５３に記憶されている情報を説明するための図である。
【図４】携帯電話機１１の表示画面を示す図である。
【図５】情報提供システムの動作及び情報提供方法を示すフローチャートである。
【符号の説明】
【００５５】
１  情報提供システム
２，２Ａ  スクリーンシステム
１０  ＩＣタグ
１１  携帯電話機
２０  スクリーン
２１  アンテナ
２２  電源
３０  プロジェクタ
３１  リーダ
４０  クライアントシステム
４１  ＰＣ
４２  コンテンツＤＢ
５０  サーバシステム
５１  サーバ
５２  ユーザＤＢ
５３  メールコンテンツＤＢ
６０  通信回線
【図１】
2006243785.tif 000003
【図２】
2006243785.tif 000004
【図３】
2006243785.tif 000005
【図４】
2006243785.tif 000006
【図５】
2006243785.tif 000007